(57)【特許請求の範囲】
【請求項１】
長尺物を収納する収納体と、
前記収納体を環状に保持する止め具と、
環状状態の前記収納体を収納する包装袋と、
から成り、
前記環状状態の収納体の仮想円を想定した際に、前記収納体の内、前記仮想円の最外部に位置している側の端部は、前記仮想円の中心部に向かって湾曲し、
前記長尺物の先端部は、前記最外部に位置している側の端部から突出し、かつ前記包装袋内に露出し、かつ前記包装袋の縁部から離間するように保持されていると共に、
前記長尺物の基端部は前記包装袋内に露出し、かつ前記包装袋の縁部から離間するように保持されている、
ことを特徴とする包装体。
【請求項２】
請求項１に記載の包装体であって、
前記環状状態の仮想円を想定した際に、前記収納体の内、前記仮想円の最内部に位置している側の端部は、前記仮想円の中心部に向かって湾曲している、包装体。
【請求項３】
請求項１又は請求項２に記載の包装体であって、
前記仮想円の中心部に向かって湾曲している前記収納体の前記最外部に位置している側の端部は、前記収納体とは別体に設けられた、枠体によって支持されている、包装体。
【請求項４】
請求項１又は請求項２に記載の包装体であって、
前記仮想円の中心部に向かって湾曲している前記収納体の前記最外部に位置している側の端部は、前記止め具によって、前記仮想円の中心部に向かっている、包装体。
【発明の詳細な説明】
【技術分野】
【０００１】
本発明は、主に医療用チューブやガイドワイヤ等の長尺物を収納する包装体に関する。
【背景技術】
【０００２】
従来、カテーテル等の医療用チューブやガイドワイヤ等の長尺物は、環状状態とされて収納袋に収納されていることは、よく知られている。具体的には、長尺物を管状の収納体内部に収納し、前記収納体を環状（渦巻き状）に複数回巻回して止め具で保持し、そして、環状状態となった前記収納体を前記収納袋に収納している。
【０００３】
例えば特許文献１には、医療デバイスのバルーン上に設けられたステントを収納し、クリップによって螺旋形状に維持されたキャリアチューブが包装袋に収納されている構成が開示されている。
【０００４】
また、特許文献２には、医療機器を収納する螺旋形状に巻回されたデバイスホルダーが開示されており、デバイスホルダーの末端は、螺旋形状の外側に配置され、デバイスホルダーの中央端は、螺旋形状の内側に配置され、かつ、デバイスホルダーの螺旋形状が形成されている面に対して交差する方向に延びている構成が示されている。
【先行技術文献】
【特許文献】
【０００５】
【特許文献１】米国特許出願公開第２０１２／０１８７００２号明細書
【特許文献２】米国特許第８９３１６３７号明細書
【発明の概要】
【発明が解決しようとする課題】
【０００６】
しかしながら、図１８に示すように、従来の包装体ｇにあっては、環状状態とされた収納体ｃの外側の端部ｄから突出したガイドワイヤａの先端部ｂが包装袋ｆの縁部ｅと接触してしまい、先端部ｂが変形したり、場合によってはガイドワイヤａの先端部ｂが包装袋ｆを突き破ってしまったりする問題がある。特に、先端部ｂが包装袋ｆを突き破ってしまうと、ガイドワイヤａが外部に接触して汚染されてしまい、医療現場において使用できなくなってしまうおそれがある。
【０００７】
また、特許文献１にかかる構成にあっても、螺旋形状に維持されたキャリアチューブの外側端部が、包装袋にキャリアチューブを収納したときに、医療デバイスの基端ハブが、包装袋の縁部と接触して破損したり、包装袋を傷つけたり、又は、包装袋の縁部を突き破ってしまったりするおそれがある。
【０００８】
さらに、特許文献２にかかる構成にあっても、医療機器の先端がデバイスホルダーから突出しており、この状態で包装袋等に収納した場合には、医療機器の先端が、包装袋の縁部と接触して破損したり、又は、包装袋を突き破ってしまったりするおそれがある。
【０００９】
そこで本発明は、収納体の端部から長尺物の端部が突出していても、包装袋の縁部と接触することや包装袋を突き破ることを防止することで、長尺物の端部を変形させたり、あるいは破損させたりすることを抑制する包装体を提供することを目的とする。
【課題を解決するための手段】
【００１０】
本発明は、長尺物を収納する収納体と、前記収納体を環状に保持する止め具と、環状状態の前記収納体を収納する包装袋と、から成り、前記環状状態の収納体の仮想円を想定した際に、前記収納体の内、前記仮想円の最外部に位置している側の端部は、前記仮想円の中心部に向かって湾曲し、前記収納体の最内部に位置している側の端部と最外部に位置している側の端部の両方が前記収納体の最内の環状部が属する第２の仮想円の円周上又はその内側に配置されていることを特徴とする包装体である。
【００１１】
かかる構成にあっては、前記仮想円の最外部に位置している前記収納体の端部が、包装袋の縁部に押し当てられてしまう、ことを回避できるため、前記収納体の端部における長尺物の破損を防止することができる。また、収納体の端部が包装袋を突き破ってしまって前記端部が外部のものに触れてしまうことも防止することができる。したがって、収納体に収納されている長尺物が汚染されてしまうおそれを低減することが可能となる。
【００１２】
前記包装体にあって、前記収納体の内、前記仮想円の最内部に位置している側の端部は、前記第２の仮想円の中心部に向かって湾曲している、包装体構成としてもよい。
【００１３】
かかる構成にあっては、前記収納体の両端部が、包装袋の縁部に押し当てられてしまう、ことを回避できるため、前記収納体の両端部における長尺物の破損を好適に防止することができる。また、収納体の両端部とも包装袋を突き破ってしまうことを防止することができる。したがって、収納体に収納されている長尺物が汚染されてしまうおそれを、より一層低減することが可能となる。
【００１４】
また、前記包装体であって、前記仮想円の中心部に向かって湾曲している前記収納体の端部は、前記収納体とは別体に設けられた、枠体によって支持されている構成が提案される。
【００１５】
かかる構成にあっては、枠体によって収納体の端部がより安定して仮想円の中心部に向かい易くなるため、収納体の端部における長尺物の破損をさらに確実に防止することができる。
【００１６】
さらに、前記包装体であって、前記仮想円の中心部に向かって湾曲している前記収納体の端部は、前記止め具によって、前記仮想円の中心部に向かっている構成が提案される。
【００１７】
かかる構成にあっては、止め具を利用することにより、収納体の端部がより確実に仮想円の中心部に向かい易くなるため、収納体の端部における長尺物の破損をさらに確実に防止することができる。
【発明の効果】
【００１８】
本発明の包装体は、収納体の端部から長尺物の端部が突出していても、包装袋を突き破ることがなく、また長尺物の端部を変形させたり、あるいは破損させたりすることが抑制される効果がある。
【図面の簡単な説明】
【００１９】
【図１】実施例１にかかる包装体の一部切欠平面図である。
【図２】（ａ）は収納体の基端近傍の部分拡大断面図であり、（ｂ）は収納体の先端近傍の部分拡大断面図である。
【図３】実施例１にかかる止め具を示し、（ａ）は平面図、（ｂ）は正面図、（ｃ）は底面図、（ｄ）は左側面図である。
【図４】実施例１にかかる先端側枠体を示し、（ａ）は平面図、（ｂ）は正面図である。
【図５】実施例２にかかる包装体の平面図である。
【図６】実施例２にかかる基端側枠体を示し、（ａ）は平面図、（ｂ）は正面図である。
【図７】実施例３にかかる包装体の平面図である。
【図８】実施例３にかかる先端側止め具を示し、（ａ）は平面図、（ｂ）は正面図、（ｃ）は左側面図である。
【図９】実施例４にかかる包装体の平面図である。
【図１０】実施例４にかかる基端側止め具を示し、（ａ）は平面図、（ｂ）は正面図、（ｃ）は底面図、（ｄ）は背面図、（ｅ）は左側面図である。
【図１１】実施例５にかかる包装体の平面図である。
【図１２】実施例５にかかる先端側止め具を示し、（ａ）は平面図、（ｂ）は（ａ）のＡ−Ａ線断面図、（ｃ）は底面図、（ｄ）は左側面図である。
【図１３】実施例６にかかる包装体の平面図である。
【図１４】実施例６にかかる基端側止め具を示し、（ａ）は平面図、（ｂ）は正面図、（ｃ）は底面図、（ｄ）は背面図、（ｅ）は左側面図である。
【図１５】実施例７にかかる包装体の平面図である。
【図１６】実施例８にかかる包装体の平面図である。
【図１７】枠体の別例を示す斜視図である。
【図１８】従来の包装体の平面図である。
【発明を実施するための形態】
【００２０】
以下、本発明の包装体を具体化した実施例を詳細に説明する。なお、本発明は、下記に示す実施例に限定されることはなく、適宜設計変更が可能である。
【００２１】
〔実施例１〕
図１に示すように、包装体１１は、長尺物であるガイドワイヤ１を収納する収納体２０と、前記収納体２０を環状に保持する止め具３０と、環状状態の前記収納体２０を収納する方形の包装袋４０と、から成る。
【００２２】
なお、前記収納体２０の環状状態は、収納体２０の両端が突き合わせられることで一つの環が形成されている状態のみを意味するものではなく、上述のように、湾曲した前記収納体２０が幾重にも巻回されて形成された外縁によって全体的に外形が環状となっている状態を含む意味である。
【００２３】
前記収納体２０は、長尺で可撓性のチューブ形状をなし、図２（ａ）に示すように、内部に前記ガイドワイヤ１が収納されている。また、前記収納体２０の基端部２１からは、ガイドワイヤ１の基端部２が突き出されている。また、図２（ｂ）に示すように、前記収納体２０の先端部２２からは、ガイドワイヤ１の先端部３が突き出されている。なお、前記収納体２０を構成する材料は、従来から使用されているポリエチレンのような樹脂材料が適用でき、また、これに限定されることなく、特に可撓性を有する柔らかい樹脂材料で前記収納体２０を形成してもよい。
【００２４】
前記止め具３０は、図３に示すように、直方体形状の本体３０１を具備し、前記本体３０１の一方の側面から他方の側面まで貫通する溝部３０２が複数設けられている。そして、前記複数の溝部３０２にそれぞれ前記収納体２０が嵌め込まれ、全体として前記収納体２０が環状状態で保持されている。前記止め具３０を形成する材料は、ポリエチレン・ポリ酢酸ビニルのコポリマー、ポリアセタール又はポリカーボネート等の樹脂材料であり、また、これに限定されることなく、他の樹脂材料であってもよい。
【００２５】
前記包装袋４０は、ヒートシールを可能とするコーティングが施されたポリエチレンや紙から成るシートに、ポリエチレンテレフタレートとポリエチレンから成る透明なフィルムを重ねて、これらの縁部をヒートシール等によって接着することで形成されている。ただし、かかる構成に限定されるものではなく、他の材料によって形成してもよい。
【００２６】
上記構成にあって、渦巻き状に保持されている前記収納体２０には、図１に示すように前記収納体２０の外縁によって構成される仮想円αが設定され、前記収納体２０の基端部２１が、前記仮想円αの内側に配置されている。これと共に、前記収納体２０における仮想円αの最外部に位置している側の先端部２２が、前記仮想円αの中心部に向かって湾曲している。
【００２７】
さらに詳述すると、前記収納体２０の先端部２２周りには、図４に示すように、前記収納体２０とは別体で設けられた、チューブ状の湾曲管で構成される先端側枠体５１が取り付けられている。具体的には、前記先端側枠体５１内に収納体２０が挿通可能となっており、前記先端側枠体５１内に挿通された前記収納体２０の先端部２２は、前記先端側枠体５１の湾曲形状に従って前記仮想円αの中心部に向かって湾曲して支持されている。
【００２８】
上述のように、前記収納体２０の先端部２２が前記先端側枠体５１が装着されることによって前記仮想円αの中心部に向かって湾曲した状態になると、前記先端部２２が、包装袋４０の縁部４５に押し当てられてしまう、ことを回避できるため、前記ガイドワイヤ１の先端部３における破損を防止することができる。また、かかる構成とすることにより、収納体２０の先端部２２が包装袋４０を突き破ってしまってガイドワイヤ１の先端部３が外部のものに触れてしまうことも防止することができる。
【００２９】
〔実施例２〕
実施例２にかかる包装体１２を図５に従って説明する。なお、実施例１と同様の構成を有するものは同じ符号を付し、説明を省略する。
【００３０】
包装体１２にあっては、図５に示すように、収納体２０が止め具３０によって環状状態に保持されているところ、前記収納体２０の先端部２２に加えて、前記仮想円αの最内部に位置している側の基端部２１も、前記仮想円αの中心部に向かって湾曲している。
【００３１】
さらに詳述すると、前記基端部２１周りには、図６に示すような前記収納体２０とは別体に設けられた、チューブ状の湾曲管で構成される基端側枠体５２が取り付けられている。具体的には、前記基端側枠体５２内に収納体２０が挿通可能となっており、前記基端側枠体５２内に挿通された前記収納体２０の基端部２１は、前記基端側枠体５２の湾曲形状に従って前記仮想円αの中心部に向かって湾曲して支持されている。
【００３２】
かかる構成とすることにより、前記収納体２０の基端部２１と先端部２２とが、包装袋４０の縁部４５に押し当てられてしまう、ことを回避できるため、ガイドワイヤ１の破損を好適に防止することができる。また、収納体２０の基端部２１及び先端部２２が、包装袋４０を突き破ってしまうことが防止される。したがって、ガイドワイヤ１が汚染されてしまうおそれを、より一層低減することが可能となる。
【００３３】
〔実施例３〕
実施例３にかかる包装体１３を図７に従って説明する。なお、実施例１，２と同様の構成を有するものは同じ符号を付し、説明を省略する。
【００３４】
包装体１３にあっては、前記収納体２０の先端部２２が図８に示すような先端側止め具３１によって保持されている。
【００３５】
さらに詳述すると、前記先端側止め具３１は、前記本体３０１から突出状に形成された突出部３０５を具備し、前記突出部３０５の先端に、前記収納体２０の先端部２２が嵌め込まれる先端側溝部３０６が形成されている。
【００３６】
かかる構成にあって、前記先端側止め具３１は、収納体２０を環状状態に保持しつつ、前記収納体２０の先端部２２を仮想円αの中心部に向かい易くすることができる。
【００３７】
前記止め具３１は、前記止め具３０と同じ材料で形成してもよく、別の材料から形成してもよい。また、前記本体３０１と前記突出部３０５とは、接着の観点から同一の材料から形成することが好ましいが、それぞれを別々の材料から形成することができる。なお、前記止め具３１は、前記本体３０１と前記突出部３０５とが別体から構成されている様に記載しているが、強度の観点を考慮すると、前記本体３０１と前記突出部３０５とは、一体的に形成されることが好ましい。
【００３８】
〔実施例４〕
実施例４にかかる包装体１４を図９に従って説明する。なお、実施例１〜３と同様の構成を有するものは同じ符号を付し、説明を省略する。
【００３９】
包装体１４にあっては、前記収納体２０の基端部２１が図１０に示すような基端側止め具３２によって保持されている。
【００４０】
さらに詳述すると、前記基端側止め具３２は、前記本体３１１に形成された複数の溝部３０２のうちひとつの溝部３０７の貫通方向が他の溝部３０２と異ならせてある。
【００４１】
かかる構成にあって、前記基端側止め具３２の溝部３０７に前記収納体２０の基端部２１を嵌め込むことにより、前記基端側止め具３２は、収納体２０を環状状態に保持しつつ、前記収納体２０の基端部２１を仮想円αの中心部に向かい易くすることができる。
【００４２】
〔実施例５〕
実施例５にかかる包装体１５を図１１に従って説明する。なお、実施例１〜４と同様の構成を有するものは同じ符号を付し、説明を省略する。
【００４３】
包装体１５にあっては、前記収納体２０の先端部２２が図１２に示すような先端側止め具３３によって保持されている。
【００４４】
さらに詳述すると、前記先端側止め具３３における本体３２１の上面には、図１２に示すように、他の溝部３０２とは貫通方向が異なる溝部３０８が形成されており、前記溝部３０８に前記収納体２０の先端部２２が嵌め込み可能となっている。
【００４５】
かかる構成にあって、前記先端側止め具３３の溝部３０８に前記収納体２０の先端部２２を嵌め込むことにより、前記先端側止め具３３は、収納体２０を環状状態に保持しつつ、前記収納体２０の先端部２２を仮想円αの中心部に向かい易くすることができる。
【００４６】
〔実施例６〕
実施例６にかかる包装体１６を図１３に従って説明する。なお、実施例１〜５と同様の構成を有するものは同じ符号を付し、説明を省略する。
【００４７】
包装体１６にあっては、前記収納体２０の基端部２１が図１４に示すような基端側止め具３４によって保持されている。
【００４８】
さらに詳述すると、前記基端側止め具３４における本体３３１の側面には、図１４に示すように、他の溝部３０２とは案内方向が異なる溝部３０９が形成されており、前記溝部３０９に前記収納体２０の基端部２１が嵌め込み可能となっている。
【００４９】
かかる構成にあって、前記基端側止め具３４の溝部３０９に前記収納体２０の基端部２１を嵌め込むことにより、前記基端側止め具３４は、収納体２０を環状状態に保持しつつ、前記収納体２０の基端部２１を仮想円αの中心部に向かい易くすることができる。
【００５０】
〔実施例７〕
実施例７にかかる包装体１７を図１５に従って説明する。なお、実施例１〜６と同様の構成を有するものは同じ符号を付し、説明を省略する。
【００５１】
包装体１７における収納体２５の先端部２２近傍部にあっては、予め所定の湾曲形状に成形された先端湾曲部２６が形成されている。
【００５２】
かかる構成にあっては、前記収納体２５を止め具３０で環状状態に保持すると共に、前記先端湾曲部２６を、先端部２２が仮想円αの中心部に向かう方向となるように配置することで、他の部材を用いることなく前記収納体２５の先端部２２を仮想円αの中心部に向かい易くすることができる。
【００５３】
〔実施例８〕
実施例８にかかる包装体１８を図１６に従って説明する。なお、実施例１〜７と同様の構成を有するものは同じ符号を付し、説明を省略する。
【００５４】
包装体１８における収納体２７の基端部２１近傍部にあっては、予め所定の湾曲形状に成形された基端湾曲部２８が形成されている。
【００５５】
かかる構成にあっては、前記収納体２７を止め具３０で環状状態に保持すると共に、前記基端湾曲部２８を、基端部２１が仮想円αの中心部に向かう方向となるように配置することで、他の部材を用いることなく前記収納体２７の基端部２１を仮想円αの中心部に向かい易くすることができる。
【００５６】
〔実施例９〕
また、図１７に示すような枠体５５が提案される。具体的には、前記枠体５５は、収納体２０が挿通される環状の挿通部５６を有し、かつ、挿通部５６の前後位置に収納体２０の湾曲方向を規定する案内曲面５７が形成されている。このように、枠体５５として、かかる形状の構造体が採用されてもよい。
【００５７】
なお、これまでに述べた実施例１〜９以外にも、本発明の趣旨を逸脱しない範囲で設計変更は勿論可能である。
【００５８】
例えば、環状状態に保持された収納体２０，２５，２７の端部にあって、最内側が先端部２２であり、最外側が基端部２１となっていてもよい。
【００５９】
また、本発明にかかる長尺物としてはガイドワイヤ１に限定されず、カテーテル等の医療用チューブであっても構わない。また、収納体２０，２５，２７の内径、外径、あるいは長さ等は、適宜自由に選択可能である。
【符号の説明】
【００６０】
１                      ガイドワイヤ（長尺物）
２                      基端部
３                      先端部
１１，１２，１３，１４，１５，１６，１７，１８  包装体
２０，２５，２７        収納体
２１                    基端部
２２                    先端部
３０                    止め具
３１，３３              先端側止め具（止め具）
３２，３４              基端側止め具（止め具）
４０                    包装袋
５１                    先端側枠体（枠体）
５２                    基端側枠体（枠体）
５５                    枠体
α                      仮想円
【図１】
0006564273.tif 000002
【図２】
0006564273.tif 000003
【図３】
0006564273.tif 000004
【図４】
0006564273.tif 000005
【図５】
0006564273.tif 000006
【図６】
0006564273.tif 000007
【図７】
0006564273.tif 000008
【図８】
0006564273.tif 000009
【図９】
0006564273.tif 000010
【図１０】
0006564273.tif 000011
【図１１】
0006564273.tif 000012
【図１２】
0006564273.tif 000013
【図１３】
0006564273.tif 000014
【図１４】
0006564273.tif 000015
【図１５】
0006564273.tif 000016
【図１６】
0006564273.tif 000017
【図１７】
0006564273.tif 000018
【図１８】
0006564273.tif 000019